(57)【要約】【課題】表示品質が低下することを抑えることが可能な電気光学装置、及び電子機器を提供する。【解決手段】液晶層５０を介して貼り合わされた素子基板１０及び対向基板２０と、素子基板１０及び対向基板２０のうち一方の基板に貼り合わされた防塵用基板４００と、素子基板１０、対向基板２０、及び防塵用基板４００を収容するフレーム３１０と、を備え、素子基板１０、対向基板２０、及び防塵用基板４００のうち一の基板の端面がフレーム３１０と接着剤５１０を介して接着されている。【選択図】図５
2015200687.tif 000002
【特許請求の範囲】
【請求項１】
電気光学物質を介して貼り合わされた第１基板及び第２基板と、
前記第１基板及び前記第２基板のうち一方の基板に貼り合わされた第３基板と、
前記第１基板、前記第２基板及び前記第３基板を収容するフレームと、
を備え、
前記第１基板、前記第２基板及び前記第３基板のうち一の基板の端面のみが前記フレームと接着剤を介して接着されていることを特徴とする電気光学装置。
【請求項２】
請求項１に記載の電気光学装置であって、
前記第３基板は、防塵用基板であることを特徴とする電気光学装置。
【請求項３】
請求項１又は請求項２に記載の電気光学装置であって、
前記第１基板、前記第２基板及び前記第３基板のうち、前記接着剤を介して前記フレームと接着される前記一の基板の外形形状が他の基板の外形形状より大きいことを特徴とする電気光学装置。
【請求項４】
請求項１乃至請求項３のいずれか一項に記載の電気光学装置であって、
前記第１基板又は前記第２基板は、反射型の画素電極を有することを特徴とする電気光学装置。
【請求項５】
請求項１乃至請求項４のいずれか一項に記載の電気光学装置を備えていることを特徴とする電子機器。
【発明の詳細な説明】
【技術分野】
【０００１】
本発明は、電気光学装置、及び電子機器に関する。
【背景技術】
【０００２】
上記電気光学装置としての液晶装置は、例えば、液晶パネル等の電気光学パネルがフレームに収容されており、例えば、液晶プロジェクター等のライトバルブとして用いられる。例えば、特許文献１では、反射型の電気光学パネルと、電気光学パネルを収容するフレームと、電気光学パネルの熱を放熱させるヒートシンクと、を備えている電気光学装置が開示されている。
【０００３】
上記電気光学パネルは、ＴＦＴアレイ基板と対向基板とがシール材を介して貼り合わされて構成されている。また、電気光学パネルには、埃などが付着することを防止する防塵ガラスが貼り付けられている。これら電気光学パネル及び防塵ガラスは、接着剤によってフレームに接着されている。具体的には、接着剤は、防塵ガラスの表面から電気光学パネルの側面に亘って設けられている。
【先行技術文献】
【特許文献】
【０００４】
【特許文献１】特開２０１０−２５６６５３号公報
【発明の概要】
【発明が解決しようとする課題】
【０００５】
しかしながら、上記特許文献１の構成では、液晶プロジェクターなどの光源の熱がフレームに伝わり、フレームに生じた応力（熱膨張による変形など）が接着剤を介して電気光学パネル及び防塵ガラスに伝わる。具体的には、フレームに生じた応力が、ＴＦＴアレイ基板、対向基板、及び防塵ガラスに伝わるので、複合的な応力（複雑な歪み）となって電気光学パネルに伝わる。その結果、電気光学パネルの表示画像に色むらなどが発生し、表示品質が低下するという課題がある。
【課題を解決するための手段】
【０００６】
本発明の態様は、上記課題の少なくとも一部を解決するためになされたものであり、以下の形態又は適用例として実現することが可能である。
【０００７】
［適用例１］本適用例に係る電気光学装置は、電気光学物質を介して貼り合わされた第１基板及び第２基板と、前記第１基板及び前記第２基板のうち一方の基板に貼り合わされた第３基板と、前記第１基板、前記第２基板及び前記第３基板を収容するフレームと、を備え、前記第１基板、前記第２基板及び前記第３基板のうち一の基板の端面のみが前記フレームと接着剤を介して接着されていることを特徴とする。
【０００８】
本適用例によれば、第１基板、第２基板、及び第３基板のうちいずれかの基板の端面とフレームとが接着剤を介して接着されているので、一の基板及び他の基板を含む複数枚とフレームとが接着剤を介してフレームに接着されている場合と比較して、フレームから複合的な応力が基板に伝わることを抑えることができる。例えば、フレームに熱が伝わり、フレームが熱膨張によって変形したとしても、複数枚の基板の変形による複合的な応力が基板に伝わることを抑えることができる。その結果、表示画像に色むらが発生し、表示画質が低下してしまうことを抑えることができる。
【０００９】
［適用例２］上記適用例に係る電気光学装置において、前記第３基板は、防塵用基板であることが好ましい。
【００１０】
本適用例によれば、防塵用基板が貼り合わされていることにより、第１基板及び第２基板に埃など異物が付着することを防止することが可能となり、表示品質を向上させることができる。加えて、防塵用基板などを増やした場合でも、複合的な応力が基板に伝わることを抑えることができる。
【００１１】
［適用例３］上記適用例に係る電気光学装置において、前記第１基板、前記第２基板及び前記第３基板のうち、前記接着剤を介して前記フレームと接着される前記一の基板の外形形状が他の基板の外形形状より大きいことが好ましい。
【００１２】
本適用例によれば、一の基板の外形形状が大きいので、第１基板、第２基板、及び第３基板を収容するフレームに一の基板のみを接着させやすくすることができる。
【００１３】
［適用例４］上記適用例に係る電気光学装置において、前記第１基板又は前記第２基板は、反射型の画素電極を有することが好ましい。
【００１４】
本適用例によれば、フレームからの応力を吸収する（緩和させる）ことが可能となるので、特に光の入射及び反射が行われる反射型の電気光学装置の表示品質を有効に向上させることができる。
【００１５】
［適用例５］本適用例に係る電子機器は、上記電気光学装置を備えていることを特徴とする。
【００１６】
本適用例によれば、上記電気光学装置を備えているので、表示画像に色むらが発生することを抑え、表示品質を向上させることが可能な電子機器を提供することができる。
【図面の簡単な説明】
【００１７】
【図１】液晶装置が備える液晶パネルの構成を示す模式平面図。
【図２】図１に示す液晶パネルのＨ−Ｈ’線に沿う模式断面図。
【図３】液晶パネルの電気的な構成を示す等価回路図。
【図４】液晶装置の全体構成を示す斜視図。
【図５】図４に示す液晶装置のＩ−Ｉ’線に沿う模式断面図。
【図６】液晶装置を備えたプロジェクターの構成を示す概略図。
【発明を実施するための形態】
【００１８】
以下、本発明を具体化した実施形態について図面に従って説明する。なお、使用する図面は、説明する部分が認識可能な状態となるように、適宜拡大または縮小して表示している。
【００１９】
なお、以下の形態において、例えば「基板上に」と記載された場合、基板の上に接するように配置される場合、または基板の上に他の構成物を介して配置される場合、または基板の上に一部が接するように配置され、一部が他の構成物を介して配置される場合を表すものとする。
【００２０】
本実施形態では、電気光学装置が備える電気光学パネルとして、薄膜トランジスター（ＴＦＴ：Thin Film Transistor）を画素のスイッチング素子として備えたアクティブマトリックス型の液晶パネルを例に挙げて説明する。この液晶パネルを備えた液晶装置は、例えば、投射型表示装置（液晶プロジェクター）の光変調素子（液晶ライトバルブ）として好適に用いることができるものである。
【００２１】
＜電気光学装置が備える液晶パネルの構成＞
図１は、液晶装置が備える液晶パネルの構成を示す模式平面図である。図２は、図１に示す液晶パネルのＨ−Ｈ’線に沿う模式断面図である。図３は、液晶パネルの電気的な構成を示す等価回路図である。以下、液晶パネルの構成を、図１〜図３を参照しながら説明する。
【００２２】
液晶パネル１００は、素子基板１０（第１基板）と対向基板２０（第２基板）とが対向配置されて構成されている。素子基板１０の基板本体は、例えば、単結晶シリコン基板又はガラス基板若しくは石英基板等の透明基板で構成されている。対向基板２０の基板本体は、例えば、ガラス基板、石英基板等の透明基板で構成されている。素子基板１０と対向基板２０との間には、電気光学物質としての液晶層５０が封入されている。液晶層５０は、例えば、一種又は数種類のネマティック液晶を混合した液晶からなり、一対の配向膜間で所定の配向状態をとる。
【００２３】
素子基板１０と対向基板２０とは、複数の画素電極が設けられた画像表示領域１０ａの周囲に位置するシール領域に設けられたシール材５２により、相互に接着されている。
【００２４】
シール材５２は、両基板を貼り合わせるための、例えば、紫外線硬化樹脂、熱硬化樹脂等からなり、製造プロセスにおいて素子基板１０に塗布された後、紫外線照射、加熱等により硬化させられたものである。シール材５２の中には、素子基板１０と対向基板２０との間隔（即ち、基板間ギャップ）を所定値とするためのグラスファイバー或いはガラスビーズ等のギャップ材が散布されている。なお、ギャップ材を、シール材５２に混入されるものに加えて若しくは代えて、画像表示領域１０ａ又は画像表示領域１０ａの周辺に位置する周辺領域に、配置するようにしてもよい。
【００２５】
シール材５２が配置されたシール領域の内側に並行して、画像表示領域１０ａの額縁領域を部分的に規定する遮光性の額縁遮光膜５３が、対向基板２０側に設けられている。
【００２６】
周辺領域のうち、シール材５２が配置されたシール領域の外側に位置する領域には、素子基板１０の一辺に沿って、データ線駆動回路１０１及び外部接続端子１０２が設けられている。走査線駆動回路１０４は、この一辺に隣接する２辺に沿い、且つ、額縁遮光膜５３に覆われるように設けられている。更に、このように画像表示領域１０ａの両側に設けられた二つの走査線駆動回路１０４間を接続するために、素子基板１０の残る一辺に沿い、且つ、額縁遮光膜５３に覆われるようにして複数の配線１０５が設けられている。
【００２７】
素子基板１０における対向基板２０の４つのコーナー部に対向する領域には、両基板間を上下導通材で接続するための上下導通端子１０６が配置されている。これらにより、素子基板１０と対向基板２０との間で電気的な導通をとることができる。
【００２８】
図２に示すように、素子基板１０には、駆動素子である画素スイッチング用のＴＦＴや走査線、データ線等の配線が作り込まれた積層構造が形成されている。この積層構造の詳細な構成については図２では図示を省略してあるが、この積層構造の上に、反射電極となる反射型の画素電極９ａが設けられている。画素電極９ａは典型的にはアルミニウムなどの光反射性の高い材料により、画素毎に所定のパターンで島状に形成され、入射光を反射する。
【００２９】
画素電極９ａは、対向電極２１に対向するように、素子基板１０の画像表示領域１０ａに形成されている。素子基板１０における液晶層５０の面する側の表面、即ち画素電極９ａ上には、配向膜１６が画素電極９ａを覆うように形成されている。
【００３０】
対向基板２０における素子基板１０との対向面上には、ＩＴＯ等の透明材料からなる対向電極２１が複数の画素電極９ａと対向するように形成されている。また、画像表示領域１０ａにおいてカラー表示を行うために、開口領域及び非開口領域の一部を含む領域に、図２には図示しないカラーフィルターが形成されてもよい。
【００３１】
対向基板２０の素子基板１０に対する対向面において、対向電極２１上には、配向膜２２が形成されている。なお、透過型の液晶装置と同様に、対向基板２０に格子状又はストライプ状に遮光膜を形成し、非開口領域を設けてもよい。
【００３２】
なお、図１及び図２に示した素子基板１０には、上述したデータ線駆動回路１０１、走査線駆動回路１０４等の駆動回路に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該液晶パネル１００の品質、欠陥等を検査するための検査回路等を形成してもよい。
【００３３】
次に、液晶パネルの画素部の電気的な構成について、図３を参照して説明する。図３は、電気光学装置が備える液晶パネルの画像表示領域を構成するマトリックス状に形成された複数の画素における各種素子、配線等の等価回路図である。
【００３４】
図３において、画像表示領域１０ａを構成するマトリックス状に形成された複数の画素の各々には、画素電極９ａ及びＴＦＴ３０が形成されている。ＴＦＴ３０は、画素電極９ａに電気的に接続されており、液晶パネル１００の動作時に画素電極９ａをスイッチング制御する。
【００３５】
画像信号が供給されるデータ線６ａは、ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００３６】
ＴＦＴ３０のゲートには、走査線３ａが電気的に接続されており、液晶パネル１００は、所定のタイミングで、走査線３ａにパルス的に走査信号Ｇ１、Ｇ２、・・・、Ｇｍを、この順に線順次で印加するように構成されている。
【００３７】
画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、・・・、Ｓｎが所定のタイミングで書き込まれる。画素電極９ａを介して液晶に書き込まれた所定レベルの画像信号Ｓ１、Ｓ２、・・・、Ｓｎは、対向基板に形成された対向電極２１との間で一定期間保持される。
【００３８】
液晶層５０（図２参照）を構成する液晶は、印加される電圧レベルにより分子集合の配向や秩序が変化することにより、光を変調し、階調表示を可能とする。例えば、ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号に応じたコントラストをもつ光が出射される。
【００３９】
ここで保持された画像信号がリークすることを防ぐために、画素電極９ａと対向電極２１（図２参照）との間に形成される液晶容量と並列に蓄積容量７０が付加されている。蓄積容量７０は、画像信号の供給に応じて各画素電極９ａの電位を一時的に保持する保持容量として機能する容量素子である。
【００４０】
蓄積容量７０の一方の電極は、画素電極９ａと並列してＴＦＴ３０のドレインに電気的に接続され、他方の電極は、定電位となるように、電位固定の容量線３００に電気的に接続されている。蓄積容量７０によれば、画素電極９ａにおける電位保持特性が向上し、コントラスト向上やフリッカーの低減といった表示特性の向上が可能となる。
【００４１】
＜電気光学装置としての液晶装置の構成＞
次に、電気光学装置としての液晶装置の全体構成について、図４及び図５を参照して説明する。図４は、液晶装置の全体構成を示す斜視図である。図５は、図４に示す液晶装置のＩ−Ｉ’線に沿う模式断面図である。なお、図４及び図５では、図１及び図２に示した液晶パネルにおける詳細な部材を適宜省略して図示している。
【００４２】
図４に示すように、液晶装置１は、液晶パネル１００、フレキシブル基板２００、フレーム３１０、ヒートシンク３２０、第３基板としての防塵用基板４００（図５参照）、及び遮光板の一例である見切り板６００を備えて構成されている。
【００４３】
図４及び図５では図示を省略しているが、フレキシブル基板２００は、液晶パネル１００の外部接続端子１０２に接合されている。フレキシブル基板２００は、上述の液晶パネル１００の電気光学動作に要する種々の制御信号を送るための信号配線を含む基板であり、例えばポリイミド等の基材に信号配線等がパターニングされることによって形成されている。
【００４４】
なお、フレキシブル基板２００上には、液晶パネル１００を駆動するための駆動回路の少なくとも一部を含む駆動用ＩＣチップ等が配置されていてもよい。なお、フレキシブル基板２００の液晶パネル１００に接続された一端とは反対側の他端は、フレーム３１０及びヒートシンク３２０の外側に引き出されており、液晶パネル１００の電気光学動作に要する種々の制御信号を供給するための外部回路（図示省略）に接続されている。
【００４５】
フレーム３１０は、例えば、鉄、銅、アルミニウム、マグネシウム等の熱導電性に優れた金属を含んで構成されており、後述するヒートシンク３２０と共に液晶パネル１００の放熱を行う。
【００４６】
見切り板６００は、図４に示すように、液晶パネル１００の画像表示領域１０ａを囲うように窓状に設けられており、画像表示領域１０ａ以外の領域に光が入射してしまうことを防止する。見切り板６００は、例えば、フレーム３１０等の液晶装置１を構成する他の部材に比べて光反射率の低い材料から形成されている。
【００４７】
具体的には、例えば、オーステナイト系ステンレスの代表的な鋼種である、ＳＵＳ３０４から形成されるとよい。見切り板６００は、図示しない係合部においてフレーム３１０と係合されている。
【００４８】
フレーム３１０は、素子基板１０、対向基板２０、及び防塵用基板４００のうちいずれかの基板の外周部と、接着剤５１０を介して接着されている。本実施形態では、フレーム３１０と素子基板１０の外周部（側端面）とが接着剤５１０を介して接着されている。なお、接着剤５１０は、素子基板１０の外周部の一部に接着するようにしてもよいし、外周部全ての部分に接着するようにしてもよい。
【００４９】
このように、素子基板１０、対向基板２０、及び防塵用基板４００のうちいずれかの基板と、フレーム３１０とが接着されていることにより、フレーム３１０に光が照射した際、素子基板１０及び対向基板２０の両方（又は全ての基板）とフレーム３１０とが接着剤５１０を介して接着されている場合と比較して、フレーム３１０から液晶パネル１００に伝わる応力を少なくさせることができる。言い換えれば、複数の基板と接着させる場合と比較して、熱による複合的な応力が液晶パネル１００に伝わることを抑えることができる。これにより、液晶パネル１００の表示画像に色むらが発生し、表示画質が低下してしまうことを抑えることができる。
【００５０】
例えば、本実施形態では、素子基板１０の外形形状（寸法）は、対向基板２０及び防塵用基板４００より大きく形成されている。これにより、フレーム３１０に、素子基板１０の外周部のみを接着しやすくなっている。
【００５１】
また、本実施形態では、フレーム３１０において発生した応力は、素子基板１０のみを介して液晶パネル１００に間接的に伝達されるため、液晶パネル１００が受ける応力は軽減される。
【００５２】
また、フレーム３１０における光の照射（熱）などによって発生した応力は、接着剤５１０を介して液晶パネル１００に間接的に伝達されるため、液晶パネル１００が受ける応力を軽減することができる。
【００５３】
防塵用基板４００は、例えば、対向基板２０に透明接着剤５４０を介して貼り付けられている。防塵用基板４００は、液晶パネル１００の画像表示領域１０ａを塵や埃から保護する機能を有している。
【００５４】
ヒートシンク３２０は、表示面の反対側に位置する背面側から、液晶パネル１００に接するように配置されている。ヒートシンク３２０は、液晶パネル１００において発生した熱を放熱するための放熱部３２５を有している。これにより、液晶パネル１００に熱が蓄積することによって液晶パネル１００の動作不良等の種々の不具合が発生することを防止することができる。
【００５５】
また、熱に伴う液晶装置１の構成部材における歪みを軽減することによって、装置内に生じる応力を軽減することができる。なお、ヒートシンク３２０は、放熱効果を高めるために熱伝導性の高い材料、例えば、鉄、銅、アルミニウム等を含んで構成するとよい。
【００５６】
ヒートシンク３２０は、例えば、フレーム３１０及び液晶パネル１００と接着剤によって貼り合わされている。なお、フレーム３１０及びヒートシンク３２０は、図示しない接合部において互いに接合されていてもよい。この場合、接合は、例えば、フレーム３１０に設けられた凹部とヒートシンクに設けられた凸部とを嵌合させることによって行われてもよいし、ネジ等を用いて行われてもよい。
【００５７】
接着剤は、空気より高い熱伝導性を有しており、液晶パネル１００において発生した熱を、効率よくヒートシンク３２０に伝達することが可能であり、放熱部３２５における放熱性能を高める機能を有している。
【００５８】
なお、本実施形態では、接着剤は、液晶パネル１００及びヒートシンク３２０間並びにフレーム３１０及びヒートシンク３２０間を充填するように塗布されているとするが、それぞれ一部にのみ接着剤が塗布されていてもよいし、液晶パネル１００及びヒートシンク３２０間並びにフレーム３１０及びヒートシンク３２０間には接着剤が塗布されていなくてもよい。また、接着剤に代えて又は加えて熱伝導性を有するシートやグリス等を用いてもよい。
【００５９】
見切り板６００は、薄い板状に形成されているため、力が作用すると上下方向に少なからず歪曲可能である（即ち、見切り板６００は弾性を有している）。従って、フレーム３１０から見切り板６００を介して防塵用基板４００に伝達される応力は、見切り板６００の弾性によって吸収され、防塵用基板４００に貼り合わされた液晶パネル１００に伝達される応力は軽減される。
【００６０】
以上説明したように、本実施形態に係る液晶装置１では、液晶パネル１００に伝達される応力を軽減し、表示画像における色むらの発生を防止することができる。
【００６１】
＜電子機器の構成＞
次に、上述した電気光学装置である液晶装置を各種の電子機器に適用する場合について説明する。ここでは、本発明に係る電子機器として、投射型液晶プロジェクターを例にとる。図６は、本実施形態に係る投射型液晶プロジェクターの構成を示す概略図である。
【００６２】
図６において、本実施形態に係る液晶プロジェクター１１００は、各々ＲＧＢ用の液晶ライトバルブ１００Ｒ、１００Ｇ及び１００Ｂの３枚を用いた複板式カラープロジェクターとして構築されている。液晶ライトバルブ１００Ｒ、１００Ｇ及び１００Ｂの各々は、上述した反射型の液晶装置１が使用されている。
【００６３】
図６に示すように、液晶プロジェクター１１００では、メタルハライドランプ等の白色光源のランプユニット１１０２から投射光が発せられると、２枚のミラー１１０６、２枚のダイクロイックミラー１１０８及び３つの偏光ビームスプリッタ（ＰＢＳ）１１１３によって、ＲＧＢの３原色に対応する光成分Ｒ、Ｇ及びＢに分けられ、各色に対応する液晶ライトバルブ１００Ｒ、１００Ｇ及び１００Ｂに各々導かれる。
【００６４】
なお、この際、光路における光損失を防ぐために、光路の途中にレンズを適宜設けてもよい。そして、液晶ライトバルブ１００Ｒ、１００Ｇ及び１００Ｂにより各々変調された３原色に対応する光成分は、クロスプリズム１１１２により合成された後、投射レンズ１１１４を介してスクリーン１１２０にカラー映像として投射される。
【００６５】
なお、液晶ライトバルブ１００Ｒ、１００Ｂ及び１００Ｇには、ダイクロイックミラー１１０８及び偏光ビームスプリッタ１１１３によって、Ｒ、Ｇ、Ｂの各原色に対応する光が入射するので、カラーフィルターを設ける必要はない。
【００６６】
なお、液晶装置１が搭載される電子機器としては、液晶プロジェクター１１００の他、ヘッドアップディスプレイ（ＨＵＤ）、ヘッドマウントディスプレイ（ＨＭＤ）、スマートフォン、ＥＶＦ（Electrical View Finder）、モバイルミニプロジェクター、電子ブック、携帯電話、モバイルコンピューター、デジタルカメラ、デジタルビデオカメラ、ディスプレイ、液晶テレビ、カーナビゲーション機器、オーディオ機器、露光装置や照明機器など各種電子機器に用いることができる。
【００６７】
以上詳述したように、本実施形態の液晶装置１、及び電子機器によれば、以下に示す効果が得られる。
【００６８】
（１）本実施形態の液晶装置１によれば、素子基板１０、対向基板２０、及び防塵用基板４００のうちいずれかの基板の端面とフレーム３１０とが接着剤５１０を介して接着されているので、複数の基板（素子基板１０、対向基板２０、防塵用基板４００）とフレーム３１０とが接着剤５１０を介してフレーム３１０に接着されている場合と比較して、フレーム３１０から複合的な応力が液晶パネル１００に伝わることを抑えることができる。例えば、フレーム３１０に熱が伝わり、フレーム３１０が熱膨張によって変形したとしても、複数の基板（素子基板１０、対向基板２０、防塵用基板４００）の変形による複合的な応力が液晶パネル１００に伝わることを抑えることができる。その結果、表示画像に色むらが発生し、表示画質が低下してしまうことを抑えることができる。
【００６９】
（２）本実施形態の液晶装置１によれば、素子基板１０の外形形状が他の基板（対向基板２０、防塵用基板４００）より大きいので、これらの基板を収容するフレーム３１０に素子基板１０のみを接着させやすくすることができる。
【００７０】
（３）本実施形態の液晶装置１によれば、フレーム３１０からの応力を吸収する（緩和させる）ことが可能となるので、特に光の入射及び反射が行われる反射型の液晶装置１の表示品質を効果的に向上させることができる。
【００７１】
（４）本実施形態の電子機器によれば、上記液晶装置１を備えているので、液晶パネル１００の表示画像に色むらが発生することを抑え、表示品質を向上させることが可能な電子機器を提供することができる。
【００７２】
なお、本発明の態様は、上記した実施形態に限られるものではなく、請求の範囲及び明細書全体から読み取れる発明の要旨あるいは思想に反しない範囲で適宜変更可能であり、本発明の態様の技術範囲に含まれるものである。また、以下のような形態で実施することもできる。
【００７３】
（変形例１）
上記したように、フレーム３１０と接着剤５１０を介して固定される基板を素子基板１０としたが、これに限定されず、対向基板２０のみ、又は、防塵用基板４００のみとフレーム３１０とを接着するようにしてもよい。
【００７４】
（変形例２）
上記したように、反射型の液晶装置１のように、素子基板１０、対向基板２０、及び防塵用基板４００を含んで構成していたが、透過型の液晶装置であれば、更に防塵用基板を追加するなど、基板の構成には限定されない。
【００７５】
（変形例３）
上記したように、液晶装置１は、素子基板１０、対向基板２０、防塵用基板４００、フレーム３１０、ヒートシンク３２０を含んで構成されるとしたが、これに限定されず、例えば、ヒートシンク３２０を含まない構成でもよいし、防塵用基板４００を含まない構成でもよい。少なくとも、フレーム３１０と液晶パネル１００とが含まれていればよい。
【００７６】
（変形例４）
上記したように、電気光学装置として反射型の液晶装置１を適用することに限定されず、例えば、透過型の液晶装置、有機ＥＬ装置、プラズマディスプレイ、電子ペーパー（ＥＰＤ）等に適用するようにしてもよい。
【符号の説明】
【００７７】
１…液晶装置、３ａ…走査線、６ａ…データ線、９ａ…画素電極、１０…第１基板としての素子基板、１０ａ…画像表示領域、１６，２２…配向膜、２０…第２基板としての対向基板、２１…対向電極、３０…ＴＦＴ、５０…電気光学物質としての液晶層、５２…シール材、５３…額縁遮光膜、７０…蓄積容量、１００…液晶パネル、１００Ｒ，１００Ｇ，１００Ｂ…液晶ライトバルブ、１０１…データ線駆動回路、１０２…外部接続端子、１０４…走査線駆動回路、１０５…配線、１０６…上下導通端子、２００…フレキシブル基板、３００…容量線、３１０…フレーム、３２０…ヒートシンク、３２５…放熱部、４００…第３基板としての防塵用基板、５１０…接着剤、５４０…透明接着剤、６００…見切り板、１１００…液晶プロジェクター、１１０２…ランプユニット、１１０６…ミラー、１１０８…ダイクロイックミラー、１１１２…クロスプリズム、１１１３…偏光ビームスプリッタ、１１１４…投射レンズ、１１２０…スクリーン。
【図１】
2015200687.tif 000003
【図２】
2015200687.tif 000004
【図３】
2015200687.tif 000005
【図４】
2015200687.tif 000006
【図５】
2015200687.tif 000007
【図６】
2015200687.tif 000008